(57)【特許請求の範囲】
【請求項１】
複数枚の蓋板を並べて浴槽の上方開口を閉塞する風呂蓋における隣接蓋板の接合構造であって、隣接する各蓋板の周縁部に少なくとも周縁部表面及び側端面を覆うエッジ材をそれぞれ被着し、隣接する蓋板のうち一方の蓋板のエッジ材に、他方の蓋板のエッジ材の表面被覆部の表側に被せる重複部を突設すると共に、他方の蓋板の表面との間に指挿入隙間を形成させる指掛け部を重複部の突出先端から更に突設したことを特徴とする風呂蓋における隣接蓋板の接合構造。
【発明の詳細な説明】
【技術分野】
【０００１】
本発明は、風呂蓋における隣接蓋板の接合構造に関するものである。
【背景技術】
【０００２】
従来から、複数枚の蓋板を並べて浴槽の上方開口を閉塞する風呂蓋において、隣接する蓋板を接合するにあたってその側端面同士を突き合わせるだけのものでは、蓋板がずれたりして蓋板間に隙間が生じることが多々あって、これがために断熱性能が低下して浴槽に溜めた湯の温度を下げてしまうので、たとえば特許文献１のように蓋板の周縁部同士を表裏に重ね合わせて、蓋板間に隙間が生じないようにしたものが知られている。
【０００３】
このような隣接する蓋板の周縁部に重複部を有した風呂蓋における隣接蓋板の接合構造においては、蓋板間に隙間が生じにくくて良好な断熱性能を維持できて湯温の低下を回避できる利点を有するものであるが、蓋板同士が外れにくいため風呂蓋を浴槽から外す際の操作性は悪くなるという欠点があった。
【特許文献１】特開２０００−１０２４８７号公報
【発明の開示】
【発明が解決しようとする課題】
【０００４】
本発明は上記の点に鑑みてなされたものであり、その目的とするところは、簡単な構造で、良好な断熱性能を維持しつつも、隣接する蓋板同士を外し易くできる風呂蓋における隣接蓋板の接合構造を提供することを課題とするものである。
【課題を解決するための手段】
【０００５】
上記課題を解決するために請求項１に係る風呂蓋における隣接蓋板の接合構造にあっては、複数枚の蓋板２を並べて浴槽７の上方開口を閉塞する風呂蓋１における隣接蓋板の接合構造であって、隣接する各蓋板２の周縁部に少なくとも周縁部表面及び側端面を覆うエッジ材４をそれぞれ被着し、隣接する蓋板２のうち一方の蓋板２のエッジ材４に、他方の蓋板２のエッジ材４の表面被覆部１０の表側に被せる重複部５を突設すると共に、他方の蓋板２の表面との間に指挿入隙間ｓを形成させる指掛け部６を重複部５の突出先端から更に突設したことを特徴とする。
【０００６】
これによると、隣接する蓋板２間では重複部５によって良好な断熱性能を維持できるものでありながら、この重複部５を更に延出させて指掛け部６を形成するという簡単な構造によって、隣接する蓋板２を外す際には指挿入隙間ｓに挿入した指を指掛け部６に引っ掛けて一方の蓋板２を容易に外すことができるのであり、良好な取外し操作性を確保することができる。
【発明の効果】
【０００７】
本発明にあっては、簡単な構造の風呂蓋における隣接蓋板の接合構造によって、良好な断熱性能を維持しつつも、隣接する蓋板同士の取外し操作性を良好にできる、という利点を有する。
【発明を実施するための最良の形態】
【０００８】
以下、本発明を添付図面に示す実施形態に基いて説明する。
【０００９】
図２のように本例の風呂蓋１は３枚の蓋板２を並べて浴槽７の入浴槽部８の上方開口を閉塞するものである。各蓋板２は、板材である蓋板本体３の周縁部に、蓋板本体３の周縁部表面、該周縁部裏面及び側端面を覆う軟質のエッジ材４が被着されている。３枚の蓋板２は浴槽７の入浴槽部８の形状に合わせて形成されており、詳しくは、入浴槽部８の幅広の背凭れ部８ａを塞ぐ幅広の背凭れ部用蓋板２ａ、入浴槽部８の幅狭の足置き部８ｂを塞ぐ幅狭の足置き部用蓋板２ｂ、入浴槽部８における背凭れ部８ａと足置き部８ｂとの間の中央部８ｃを塞ぐ中央部用蓋板２ｃ、の３枚の蓋板２で本例の風呂蓋１は構成されている。
【００１０】
これら各蓋板２で入浴槽部８の対応箇所を塞ぐと、各蓋板２のエッジ材４の裏面被覆部１１がそれぞれ浴槽７の入浴槽部８の上縁部であるフランジ９上に弾接した状態で載置されると共に、各蓋板２のエッジ材４の側端面被覆部１２同士が突き合わされるようになる。
【００１１】
ここで、本例では、背凭れ部用蓋板２ａ及び足置き部用蓋板２ｂにおけるエッジ材４は、図１のように、蓋板本体３の周縁部表面を覆う表面被覆部１０と、蓋板本体３の側端面を覆う側端面被覆部１２と、蓋板本体３の周縁部裏面を覆う裏面被覆部１１とが連続した断面コ字状の主体部４ａのみで形成されているが、中央部用蓋板２ｃにおけるエッジ材４は、上記断面コ字状の主体部４ａに各種の付加部位を加えて形成されている。
【００１２】
詳しくは、中央部用蓋板２ｃのエッジ材４において背凭れ部用蓋板２ａ及び足置き部用蓋板２ｂへの隣接側の縁部に被着する部位では、図１や図３（ａ）のように、上記断面コ字状の主体部４ａに加えてその表面被覆部１０から上方且つ側外方に斜め突出した後に側外方へ略水平に突出する重複部５、この重複部５の突出先端から更に側外方へ略水平に突出する指掛け部６が形成されている。ここで、重複部５は、この重複部５が設けられた蓋板２（中央部用蓋板２ｃ）に隣接する蓋板２（背凭れ部用蓋板２ａ及び足置き部用蓋板２ｂ）における表面被覆部１０の表面に重ねて被せられる部位である。
【００１３】
また、中央部用蓋板２ｃのエッジ材４において背凭れ部用蓋板２ａ及び足置き部用蓋板２ｂに隣接しない側の縁部に被着する部位では、図３（ｂ）のように、表面被覆部１０から側外方に略水平に突出する連結部１３が形成されている。この連結部１３は、その長手方向の両端部で重複部５及び指掛け部６の長手方向の端部に連続し、重複部５や指掛け部６の剛性補強を行っている。
【００１４】
しかして、浴槽７の入浴槽部８を塞ぐように各蓋板２をその所定位置に並べて配置すると、中央部用蓋板２ｃと背凭れ部用蓋板２ａ及び足置き部用蓋板２ｂとの間では、図１のように、重複部５が、背凭れ部用蓋板２ａ及び足置き部用蓋板２ｂにおける表面被覆部１０の表面に重ねて被さり、指掛け部６が、蓋板本体３の表面との間に隙間を隔てて蓋板本体３の表面の上方位置に位置することとなる。上記隙間に臨む蓋板本体３の表面の部位は、蓋板本体３の表面のうち、エッジ材４の表面被覆部１０が被覆する上記周縁部表面よりも蓋板本体３の中央側の部位である。また、上記隙間は指掛け部６に下方から引っ掛ける指を挿入するための指挿入隙間ｓを構成する。本例の指挿入隙間ｓは指掛け部６の突出先端側ほど隙間幅を広くするように形成されている。
【００１５】
すなわち、本例の風呂蓋１における隣接蓋板の接合構造にあっては、重複部５によって隣接する蓋板２間に良好な断熱性能を維持できるものでありながら、この重複部５を更に延出させて指掛け部６を形成するという簡易な構造によって、隣接する蓋板２を外す際には指挿入隙間ｓに挿入した指を指掛け部６に引っ掛けて一方の蓋板２（中央部用蓋板２ｃ）を容易に外すことができるのであり、中央部用蓋板２ｃを浴槽７から取外すとこれに隣接していた背凭れ部用蓋板２ａ及び足置き部用蓋板２ｂも簡単に浴槽７から取外すことができるのであり、良好な取外し操作性が確保されているのである。
【００１６】
ここで、上記浴槽７から取外した各蓋板２は、浴室壁１４に凭れかけるように表裏に重ねて浴槽７のフランジ９などの載置面上に立て置かれるのであるが、このとき中央部用蓋板２ｃにおける背凭れ部用蓋板２ａ又は足置き部用蓋板２ｂへの隣接側の縁部を上記載置面上に置けば、図４のように、指掛け部６の突出先端部６ａと側端面被覆部１２の裏側端部１２ａとが載置面に接地して、中央部用蓋板２ｃが斜め傾斜状に立つこととなるので、この中央部用蓋板２ｃと浴室壁１４との間に背凭れ部用蓋板２ａ及び足置き部用蓋板２ｂを重ね置けば、中央部用蓋板２ｃと浴室壁１４とで背凭れ部用蓋板２ａ及び足置き部用蓋板２ｂを挟持した状態にできるのであり、安定した各蓋板２の立て置きが可能になる。
【００１７】
なお、上記実施形態では３枚の蓋板２から構成された風呂蓋１を例示したが、風呂蓋１は複数枚の蓋板２で構成してもよく、またたとえば背凭れ部用蓋板２ａと足置き部用蓋板２ｂとの２枚の蓋板２で構成したものでもよい。上記２枚の蓋板２で構成した風呂蓋１の場合には、背凭れ部用蓋板２ａと足置き部用蓋板２ｂのうちのいずれか一方の蓋板２における隣接側の縁部のエッジ材４に重複部５及び指掛け部６を設けることで、上記実施形態の例と同様の利点を得ることができる。
【図面の簡単な説明】
【００１８】
【図１】本発明の実施の形態の例の風呂蓋における隣接蓋板の接合構造を示す側断面図（図３（ａ）のＣ部の要部拡大図）である。
【図２】同上の風呂蓋の浴槽への配設状態を示す平面図である。
【図３】（ａ）は図２のＡ−Ａ線断面図であり、（ｂ）は図２のＢ−Ｂ線断面図である。
【図４】同上の風呂蓋の立て置き状態を示す側断面図である。
【符号の説明】
【００１９】
１  風呂蓋
２  蓋板
２ａ  背凭れ部用蓋板
２ｂ  足置き部用蓋板
２ｃ  中央部用蓋板
４  エッジ材
５  重複部
６  指掛け部
７  浴槽
１０  表面被覆部
ｓ  指挿入隙間
【図１】
0004960820.tif 000002
【図２】
0004960820.tif 000003
【図３】
0004960820.tif 000004
【図４】
0004960820.tif 000005